(57)【特許請求の範囲】
【請求項１】
画像を表示する画像表示手段と、
前記画像表示手段で表示する画像を決定し、決定された画像の表示を制御する制御手段と、
を備え、
前記画像表示手段は、
予め定められた領域で情報内容の一部を画像として表示するとともに、当該画像を切替えることで情報内容の一部を予め定められた順序で表示する表示部と、
前記表示部に接触物が接触したときに、当該接触物が当該表示部に接触した位置を検知する位置検知部と、
を有し、
前記制御手段は、
前記位置検知部が検知した位置の変化により前記表示部で表示する画像を切替えるか否かを判断する画像切替え判断部と、
前記画像切替え判断部が画像を切替えると判断した場合に、当該画像を切替える速度を記憶する速度記憶部と、
画像が予め定められた回数以上連続して切替えられたときに、以降の画像を前記速度記憶部が記憶している速度に基づいて連続して切替える画像表示制御部と、
予め定められた区切り条件により前記情報内容の中における区切り部を判断する区切り判断部と、
を有し、
前記画像表示制御部は、前記区切り判断部が判断した前記区切り部の情報を前記表示部に表示するとともに画像を連続して切替える動作を継続し、前記接触物が当該表示部の当該区切り部の情報を表示する箇所に接触したときには画像を連続して切替える動作を停止するとともに当該区切り部に該当する頁の画像を表示することを特徴とする画像表示装置。
【請求項２】
前記速度記憶部は、前記画像表示制御部が画像を連続して切替えているときに、前記画像切替え判断部が前記表示部で表示する画像をさらに切替えると判断した場合に、当該画像を切替える速度を再度記憶し、
前記画像表示制御部は、以降の画像を切替える速度を前記速度記憶部が再度記憶した速度にすることを特徴とする請求項１に記載の画像表示装置。
【請求項３】
前記画像表示制御部は、前記区切り部に対応する前記情報内容の画像を前記予め定められた領域とは異なる領域に一覧として表示することを特徴とする請求項１に記載の画像表示装置。
【請求項４】
予め定められた領域で情報内容の一部を画像として表示するとともに当該画像を切替えることで情報内容の一部を予め定められた順序で表示する表示部に予め定められた接触物が接触したときに、当該接触物が当該表示部に接触した位置を取得する位置取得部と、
前記位置取得部が取得した位置の変化により前記表示部で表示する画像を切替えるか否かを判断する画像切替え判断部と、
前記画像切替え判断部が画像を切替えると判断した場合に、当該画像を切替える速度を記憶する速度記憶部と、
画像が予め定められた回数以上連続して切替えられたときに、以降の画像を前記速度記憶部が記憶している速度に基づいて連続して切替える画像表示制御部と、
予め定められた区切り条件により前記情報内容の中における区切り部を判断する区切り判断部と、
を備え、
前記画像表示制御部は、前記区切り判断部が判断した前記区切り部の情報を前記表示部に表示するとともに画像を連続して切替える動作を継続し、前記接触物が当該表示部の当該区切り部の情報を表示する箇所に接触したときには画像を連続して切替える動作を停止するとともに当該区切り部に該当する頁の画像を表示することを特徴とする画像制御装置。
【請求項５】
記録媒体に画像を形成する画像形成手段と、
装置に関する情報を表示する画像表示手段と、
前記画像表示手段で表示する画像を決定し、決定された画像の表示を制御する制御手段と、
を備え、
前記画像表示手段は、
予め定められた領域で情報内容の一部を画像として表示するとともに、当該画像を切替えることで情報内容の一部を予め定められた順序で表示する表示部と、
前記表示部に接触物が接触したときに、当該接触物が当該表示部に接触した位置を検知する位置検知部と、
を有し、
前記制御手段は、
前記位置検知部が検知した位置の変化により前記表示部で表示する画像を切替えるか否かを判断する画像切替え判断部と、
前記画像切替え判断部が画像を切替えると判断した場合に、当該画像を切替える速度を記憶する速度記憶部と、
画像が予め定められた回数以上連続して切替えられたときに、以降の画像を前記速度記憶部が記憶している速度に基づいて連続して切替える画像表示制御部と、
予め定められた区切り条件により前記情報内容の中における区切り部を判断する区切り判断部と、
を有し、
前記画像表示制御部は、前記区切り判断部が判断した前記区切り部の情報を前記表示部に表示するとともに画像を連続して切替える動作を継続し、前記接触物が当該表示部の当該区切り部の情報を表示する箇所に接触したときには画像を連続して切替える動作を停止するとともに当該区切り部に該当する頁の画像を表示することを特徴とする画像形成装置。
【請求項６】
コンピュータに、
予め定められた領域で情報内容の一部を画像として表示するとともに当該画像を切替えることで情報内容の一部を予め定められた順序で表示する表示部に予め定められた接触物が接触したときに、当該接触物が当該表示部に接触した位置を取得する機能と、
取得した位置の変化により前記表示部で表示する画像を切替えるか否かを判断する機能と、
画像を切替えると判断した場合に、当該画像を切替える速度を記憶する機能と、
画像が予め定められた回数以上連続して切替えられたときに、以降の画像を記憶している速度に基づいて連続して切替える機能と、
予め定められた区切り条件により前記情報内容の中における区切り部を判断する機能と、
を実現させ、
前記画像を記憶している速度に基づいて連続して切替える機能は、前記区切り部の情報を前記表示部に表示するとともに画像を連続して切替える動作を継続し、前記接触物が当該表示部の当該区切り部の情報を表示する箇所に接触したときには画像を連続して切替える動作を停止するとともに当該区切り部に該当する頁の画像を表示することを特徴とするプログラム。
【発明の詳細な説明】
【技術分野】
【０００１】
本発明は、画像表示装置、画像制御装置、画像形成装置、プログラムに関する。
【背景技術】
【０００２】
特許文献１には、プレビュー画像生成部が、印刷用データを取得して複数のプレビュー画像を生成し、表示制御部が、生成された複数のプレビュー画像を頁順に重ね合わせるとともに、隣り合う２枚のプレビュー画像を最前列に表示し、反転表示制御部が、一方の最前列のプレビュー画像を順次徐々に頁送りしつつ表裏を反転させて他方の最前列のプレビュー画像とする画像処理装置が開示されている。
【先行技術文献】
【特許文献】
【０００３】
【特許文献１】特開２０１１−２５７８７１号公報
【発明の概要】
【発明が解決しようとする課題】
【０００４】
ここで画像表示装置の表示部においてコンテンツ等の情報内容を画像として表示するときがある。そして情報内容の一部の画像を表示部に表示させ、ユーザは予め定められた操作をすることで表示される画像を順番に切替えることで情報内容を閲覧する方法が一般的に用いられている。この方法による登録内容の閲覧はユーザの利便性に供するが、表示部に表示される画像が多いと、その利便性が果たされない場合がある。
【課題を解決するための手段】
【０００５】
請求項１に記載の発明は、画像を表示する画像表示手段と、前記画像表示手段で表示する画像を決定し、決定された画像の表示を制御する制御手段と、を備え、前記画像表示手段は、予め定められた領域で情報内容の一部を画像として表示するとともに、当該画像を切替えることで情報内容の一部を予め定められた順序で表示する表示部と、前記表示部に接触物が接触したときに、当該接触物が当該表示部に接触した位置を検知する位置検知部と、を有し、前記制御手段は、前記位置検知部が検知した位置の変化により前記表示部で表示する画像を切替えるか否かを判断する画像切替え判断部と、前記画像切替え判断部が画像を切替えると判断した場合に、当該画像を切替える速度を記憶する速度記憶部と、画像が予め定められた回数以上連続して切替えられたときに、以降の画像を前記速度記憶部が記憶している速度に基づいて連続して切替える画像表示制御部と、予め定められた区切り条件により前記情報内容の中における区切り部を判断する区切り判断部と、を有し、前記画像表示制御部は、前記区切り判断部が判断した前記区切り部の情報を前記表示部に表示するとともに画像を連続して切替える動作を継続し、前記接触物が当該表示部の当該区切り部の情報を表示する箇所に接触したときには画像を連続して切替える動作を停止するとともに当該区切り部に該当する頁の画像を表示することを特徴とする画像表示装置である。
【０００６】
請求項２に記載の発明は、前記速度記憶部は、前記画像表示制御部が画像を連続して切替えているときに、前記画像切替え判断部が前記表示部で表示する画像をさらに切替えると判断した場合に、当該画像を切替える速度を再度記憶し、前記画像表示制御部は、以降の画像を切替える速度を前記速度記憶部が再度記憶した速度にすることを特徴とする請求項１に記載の画像表示装置である。
請求項３に記載の発明は、前記画像表示制御部は、前記区切り部に対応する前記情報内容の画像を前記予め定められた領域とは異なる領域に一覧として表示することを特徴とする請求項１に記載の画像表示装置である。
【０００７】
請求項４に記載の発明は、予め定められた領域で情報内容の一部を画像として表示するとともに当該画像を切替えることで情報内容の一部を予め定められた順序で表示する表示部に予め定められた接触物が接触したときに、当該接触物が当該表示部に接触した位置を取得する位置取得部と、前記位置取得部が取得した位置の変化により前記表示部で表示する画像を切替えるか否かを判断する画像切替え判断部と、前記画像切替え判断部が画像を切替えると判断した場合に、当該画像を切替える速度を記憶する速度記憶部と、画像が予め定められた回数以上連続して切替えられたときに、以降の画像を前記速度記憶部が記憶している速度に基づいて連続して切替える画像表示制御部と、予め定められた区切り条件により前記情報内容の中における区切り部を判断する区切り判断部と、を備え、前記画像表示制御部は、前記区切り判断部が判断した前記区切り部の情報を前記表示部に表示するとともに画像を連続して切替える動作を継続し、前記接触物が当該表示部の当該区切り部の情報を表示する箇所に接触したときには画像を連続して切替える動作を停止するとともに当該区切り部に該当する頁の画像を表示することを特徴とする画像制御装置である。
【０００８】
請求項５に記載の発明は、記録媒体に画像を形成する画像形成手段と、装置に関する情報を表示する画像表示手段と、前記画像表示手段で表示する画像を決定し、決定された画像の表示を制御する制御手段と、を備え、前記画像表示手段は、予め定められた領域で情報内容の一部を画像として表示するとともに、当該画像を切替えることで情報内容の一部を予め定められた順序で表示する表示部と、前記表示部に接触物が接触したときに、当該接触物が当該表示部に接触した位置を検知する位置検知部と、を有し、前記制御手段は、前記位置検知部が検知した位置の変化により前記表示部で表示する画像を切替えるか否かを判断する画像切替え判断部と、前記画像切替え判断部が画像を切替えると判断した場合に、当該画像を切替える速度を記憶する速度記憶部と、画像が予め定められた回数以上連続して切替えられたときに、以降の画像を前記速度記憶部が記憶している速度に基づいて連続して切替える画像表示制御部と、予め定められた区切り条件により前記情報内容の中における区切り部を判断する区切り判断部と、を有し、前記画像表示制御部は、前記区切り判断部が判断した前記区切り部の情報を前記表示部に表示するとともに画像を連続して切替える動作を継続し、前記接触物が当該表示部の当該区切り部の情報を表示する箇所に接触したときには画像を連続して切替える動作を停止するとともに当該区切り部に該当する頁の画像を表示することを特徴とする画像形成装置である。
【０００９】
請求項６に記載の発明は、コンピュータに、予め定められた領域で情報内容の一部を画像として表示するとともに当該画像を切替えることで情報内容の一部を予め定められた順序で表示する表示部に予め定められた接触物が接触したときに、当該接触物が当該表示部に接触した位置を取得する機能と、取得した位置の変化により前記表示部で表示する画像を切替えるか否かを判断する機能と、画像を切替えると判断した場合に、当該画像を切替える速度を記憶する機能と、画像が予め定められた回数以上連続して切替えられたときに、以降の画像を記憶している速度に基づいて連続して切替える機能と、予め定められた区切り条件により前記情報内容の中における区切り部を判断する機能と、を実現させ、前記画像を記憶している速度に基づいて連続して切替える機能は、前記区切り部の情報を前記表示部に表示するとともに画像を連続して切替える動作を継続し、前記接触物が当該表示部の当該区切り部の情報を表示する箇所に接触したときには画像を連続して切替える動作を停止するとともに当該区切り部に該当する頁の画像を表示することを特徴とするプログラムである。
【発明の効果】
【００１０】
請求項１の発明によれば、本構成を有していない場合に比較して、ユーザが予め定められた操作をすることで表示される画像を順番に切替えることで情報内容を閲覧する場合に、ユーザが煩わしさを感じにくくすることができる画像表示装置が提供できる。また本構成を有していない場合に比較して、画像を切替える速度を落とすことなく、情報内容の区切り部をユーザに通知することができる。
請求項２の発明によれば、本構成を有していない場合に比較して、画像表示制御部が画像を連続して切替えているときに、ユーザが画像の切替えの速度を変更することができる。
請求項３の発明によれば、本構成を有していない場合に比較して、さらにユーザの利便性が向上する。
請求項４の発明によれば、本構成を有していない場合に比較して、ユーザが予め定められた操作をすることで表示される画像を順番に切替えることで情報内容を閲覧する場合に、ユーザが煩わしさを感じにくくすることができる画像制御装置が提供できる。また本構成を有していない場合に比較して、画像を切替える速度を落とすことなく、情報内容の区切り部をユーザに通知することができる。
請求項５の発明によれば、本構成を有していない場合に比較して、操作性がより優れた画像形成装置を提供することができる。
請求項６の発明によれば、本構成を有していない場合に比較して、ユーザが予め定められた操作をすることで表示される画像を順番に切替えることで情報内容を閲覧する場合に、ユーザが煩わしさを感じにくくすることができる機能をコンピュータにより実現できる。また本構成を有していない場合に比較して、画像を切替える速度を落とすことなく、情報内容の区切り部をユーザに通知することができる機能をコンピュータにより実現できる。
【図面の簡単な説明】
【００１１】
【図１】本実施の形態の画像表示装置のハードウェア構成を示した図である。
【図２】画像表示手段について説明した図である。
【図３】本実施の形態の制御手段の第１の機能構成例を示した図である。
【図４】図３に示す制御手段の動作について説明したフローチャートである。
【図５】液晶パネルにスピードメータを表示させた場合の図である。
【図６】本実施の形態の制御手段の第２の機能構成例を示した図である。
【図７】ポップアップ表示により区切り部の情報を表示する場合について説明した図である。
【図８】履歴一覧を液晶パネルに表示したときの図である。
【図９】図６に示す制御手段の動作について説明したフローチャートである。
【図１０】区切り部の情報を液晶パネルに表示する方法の他の例を説明した図である。
【図１１】本実施の形態の制御手段の第３の機能構成例であり、図１０で説明した機能を実現するための機能構成例を示した図である。
【図１２】図１１に示す制御手段の動作について説明したフローチャートである。
【図１３】本実施の形態の画像形成装置のハードウェア構成例を示した図である。
【００１２】
［第１の実施の形態］
以下、添付図面を参照して、本発明の実施の形態について詳細に説明する。まず、第１の実施の形態の詳細な構成及び動作について説明する。
図１は、本実施の形態の画像表示装置のハードウェア構成を示した図である。
本実施の形態の画像表示装置１０は、コンピュータ装置であり、例えば、スマートフォン、タブレット、携帯電話機、ＰＣ（Personal Computer）等が例示される。
図示するように、画像表示装置１０は、ＣＰＵ（Central Processing Unit）１１と、記憶手段であるメモリ１２とを備える。ここで、ＣＰＵ１１は、ＯＳ（Operating System）やアプリケーション等の各種ソフトウェアを実行する。また、メモリ１２は、各種ソフトウェアやその実行に用いるデータ等を記憶する記憶領域である。更に、画像表示装置１０は、外部との通信を行うための通信インターフェース（以下、「通信Ｉ／Ｆ」と表記する）１３と、画像を表示する画像表示手段１４とを備える。また画像表示装置１０は、記憶手段としてＨＤＤ（Hard Disk Drive）やフラッシュメモリを備えていてもよい。ＨＤＤやフラッシュメモリは、各種ソフトウェアに対する入力データや各種ソフトウェアからの出力データ等を記憶する。また画像表示装置１０は、さらにキーボードやマウス等の入力デバイスを備えていてもよい。ここでＣＰＵ１１やメモリ１２は、画像表示手段１４で表示する画像を決定し、決定された画像の表示を制御する制御手段として捉えることができる。
【００１３】
また図２は、画像表示手段１４について説明した図である。
ここで例示する画像表示装置１０は、いわゆるスマートフォンである。そして画像表示手段１４としてタッチパネルを採用している。そのため画像表示手段１４は、表示部の一例である液晶パネル１４１を備えるとともに、液晶パネル１４１に人の指、スタイラスペンに代表される接触物が接触したときに、接触物が液晶パネル１４１に接触した位置を検知する位置検知部（図示せず）を備えている。本実施の形態において液晶パネル１４１として使用するタッチパネルは、特に限定されるものではなく、抵抗膜方式や静電容量方式など種々の方式のものを使用することができる。
【００１４】
この構成の画像表示装置１０において、液晶パネル１４１の予め定められた領域でコンテンツ（情報内容）を画像として表示することがある。そしてこのときコンテンツの内容が複数頁（複数枚）にわたる場合は、各頁を液晶パネル１４１に表示させ、そしてユーザは、この画像を頁毎に切替えながら閲覧することが一般に行なわれている。即ち、液晶パネル１４１では、予め定められた領域でコンテンツの一部を頁毎に画像として表示するとともに、画像を切替えることでコンテンツの一部を予め定められた順序で表示する。これは例えば、コンテンツが電子書籍のデータであり、頁毎に画像の表示を切替えつつ、ユーザがコンテンツを閲覧するような場合が該当する。
【００１５】
ここで図２に示したスマートフォン等の画像表示装置１０では、画像の切替えを行なうのに人の指、スタイラスペン等の接触物を液晶パネル１４１に接触させつつ、予め定められた方向にはじく動作をすることにより行なわれることが多い。つまり液晶パネル１４１上の画像が表示されている箇所で、ユーザが接触物をフリックさせると、液晶パネル１４１に表示される画像の切替えが行なわれる。
【００１６】
なお図２では、接触物として人の指を図示し、そして現在表示している画像を画像Ｐ１として図示している。この場合、液晶パネル１４１の中央付近に表示されている画像Ｐ１を図示するように左側にフリックすると、画像Ｐ１のかわりに次頁の画像Ｐ２が液晶パネル１４１の中央付近に移動し表示される。また逆に表示されている画像Ｐ１を右側にフリックすると、画像Ｐ１のかわりに前頁の画像Ｐ０が液晶パネル１４１の中央付近に移動し表示される。またこのようなフリック操作を連続して行なうことにより画像の切り替えが次々と行なわれ、ユーザは、画像を連続して閲覧することができる。このようなフリック操作によるコンテンツの閲覧は、紙データを扱うような感覚で電子データを扱うことができるため、ユーザの利便性が向上する。
【００１７】
しかしながら液晶パネル１４１でコンテンツを閲覧する際に、頁数が多くなってくると、フリック操作を何回も繰り返さなければならないため、ユーザは、煩わしさを感じるようになる。さらにユーザへの身体的負担も増加することになる。
またコンテンツが写真等の画像データである場合は、このコンテンツを閲覧する手段としてスライドショー機能が一般的に知られている。このスライドショー機能を使用する際には、液晶パネル１４１に写真のプレビュー画像が表示される。そしてユーザは、表示されているプレビュー画像のスライドショー開始操作を行なう。これにより液晶パネル１４１に表示されるプレビュー画像が切替えられ、ユーザは写真を次々に閲覧することができる。ただし切替え速度が一定で速度変更ができないと、それほど確認が必要ないプレビュー画像に時間を取られたり、大量の写真を閲覧する場合には、コンテンツ全体の中で、現在どの辺りを見ているのかが不明になったりするため、利便性が良くないなどの問題が生じる。
【００１８】
以上の問題を解決するため本実施の形態では、以下に説明するようにユーザによるフリック操作が、予め定められた回数以上連続して行なわれたときに、以降の頁の切り替えを自動的に行なう制御を行なう。
図３は、本実施の形態の制御手段の第１の機能構成例を示した図である。
図示するように本実施の制御手段は、位置取得部２１と、画像切替え判断部２２と、速度記憶部２３と、画像切替え回数計測部２４と、画像表示制御部２５とを備える。
【００１９】
位置取得部２１は、液晶パネル１４１（図２参照）に人の指等の接触物が接触したときに、接触物が液晶パネル１４１に接触した位置を取得する。即ち、上述したように画像表示手段１４は、タッチパネルであり、接触物が液晶パネル１４１に接触した位置を検知する位置検知部が備えられている。そのため位置取得部２１は、接触物が液晶パネル１４１に接触した位置を位置検知部から取得することができる。
【００２０】
画像切替え判断部２２は、位置取得部２１が取得した位置（「位置検知部が検知した位置」とも言える。）の変化により液晶パネル１４１で表示する画像を切替えるか否かを判断する。つまり画像切替え判断部２２は、接触物により液晶パネル１４１上で行なわれる操作が、フリック操作であるか否かを判断する。そしてこのユーザがフリック操作を行なった場合、接触物が液晶パネル１４１に接触する位置が何れの方向に移動するかを判断して、画像を前頁または次頁の何れに切替えるか否かを判断する。
【００２１】
速度記憶部２３は、画像切替え判断部２２が画像を切替えると判断した場合に、画像を切替える速度を記憶する。
【００２２】
画像切替え回数計測部２４は、ユーザがフリック操作を行なうことで、画像を切替えた回数をカウントする。このとき画像切替え回数計測部２４は、フリック操作が連続して行なわれたときの回数を計測し、間に他の操作が行なわれた場合は、カウント数をリセットして”０”とする。
【００２３】
そして画像表示制御部２５は、画像切替え回数計測部２４からユーザが連続して行なったフリック回数の値を取得する。そしてフリック操作が連続して予め行なわれたとき、即ち、画像が予め定められた回数以上連続して切替えられたときに、以降の画像を速度記憶部２３が記憶している速度に基づいて連続して切替える。即ち、ユーザが予め定められた回数以上連続してフリック操作を行なった場合は、液晶パネル１４１に表示される画像の切り替えを自動で行なっていく。そしてこのとき切り替えの速度は、速度記憶部２３が記憶している速度とする。
【００２４】
図４は、図３に示す制御手段の動作について説明したフローチャートである。
以下、図３および図４を使用して本実施の形態の制御手段の動作について説明を行なう。なお以下の処理を行なう前提として、左右方向にフリック操作することで切替え可能な画像が、液晶パネル１４１に予め表示されているものとする。
【００２５】
まず人の指等の接触物が画像表示手段１４の液晶パネル１４１に接触すると、接触した位置が画像表示手段１４の位置検知部により検知される。そして制御手段の位置取得部２１は、位置検知部よりこの接触位置を取得する（ステップ１０１）。
【００２６】
次に画像切替え判断部２２が、接触物により液晶パネル１４１上の上記画像が表示されている箇所において行なわれる操作が、フリック操作であるか否かを判断する（ステップ１０２）。そして画像切替え判断部２２が、フリック操作であると判断した場合（ステップ１０２でＹｅｓ）、本実施の形態では、この操作は、ユーザが画像を切替えるための操作であると判断される。またユーザが、画像を前頁または次頁の何れに切替えたいかは、フリック操作が左右方向の何れの方向であるかにより判断される。即ち、フリック操作が、左方向に行なわれた場合は、ユーザは次頁に画像を切替えたいものと判断する。一方、フリック操作が、右方向に行なわれた場合は、ユーザは前頁に画像を切替えたいものと判断する。なお画像切替え判断部２２が、フリック操作ではないと判断した場合（ステップ１０２でＮｏ）、ステップ１０１に戻る。
【００２７】
そして次に速度記憶部２３が、フリック操作が行なわれたときの速度を記憶する（ステップ１０３）。具体的には、ユーザがフリック操作をおこなうときには、位置取得部２１により取得された接触位置が移動する。そして予め定められた時間間隔における接触位置の変化からフリック操作が行なわれたときの速度を算出することができる。
【００２８】
次に画像切替え回数計測部２４は、ユーザがフリック操作を行なった回数として「１」を加算する（ステップ１０４）。なお画像切替え回数計測部２４が計測するカウント数の初期値は”０”である。ただし画像切替え回数計測部２４は、フリック操作が連続して行なわれたときの回数を計測するため、間に他の操作が行なわれた場合は、カウント数はリセットされ、初期値の”０”となる。
そして画像切替え回数計測部２４は、カウント数が予め定められた回数になったか否かを判断する（ステップ１０５）。
【００２９】
そしてカウント数が、予め定められた回数に達していなかった場合（ステップ１０５でＮｏ）は、画像表示制御部２５は、画像切替え判断部２２の判断した結果に応じて、液晶パネル１４１に表示される画像を次頁または前頁に切替える（ステップ１０６）。以後は、ステップ１０１に戻る。
【００３０】
一方、カウント数が、予め定められた回数になった場合（ステップ１０５でＹｅｓ）は、画像表示制御部２５は、以後の画像の切り替えを自動で行なっていく（ステップ１０７）。そしてこのときの切替え速度は、速度記憶部２３が記憶している速度に基づき決定する。
例えば、カウント数が３回になったときに、画像の切り替えを自動で行なう設定となっていたとすると、最初の３回の画像の切り替えは、ユーザがフリック操作をすることで行なわれる。即ち、手動により画像が切り替えられる。そして４回目からの画像の切り替えは、画像表示制御部２５が、速度記憶部２３が記憶している速度に基づき、自動で画像が切り替えられていく。
【００３１】
この設定によれば本実施の形態では、例えば、以下のようにして画像の切り替えが行なわれる。
（１回目の画像切替え（手動））
→（２回目の画像切替え（手動））
→（３回目の画像切替え（手動））
→（４回目の画像切替え（自動、切替え速度は１回目の画像切替え速度と同じ））
→（５回目の画像切替え（自動、切替え速度は２回目の画像切替え速度と同じ））
→（６回目の画像切替え（自動、切替え速度は３回目の画像切替え速度と同じ））
→・・・・・  （以後、４回目〜６回目の画像切替えの動作を繰り返す）
【００３２】
そして画像表示制御部２５が、自動で画像を切替える動作を行なっているときに、画像切替え判断部２２が、画像の切替え動作を停止する予め定められた操作をユーザが行なったか否かを判断する（ステップ１０８）。この停止操作は、例えば、画像を表示する箇所をタップするなどの操作が該当する。
【００３３】
ここで画像切替え判断部２２が、停止操作が行なわれたと判断した場合（ステップ１０８でＹｅｓ）、画像表示制御部２５は、画像を切替える動作を停止する（ステップ１０９）。このとき例えば、これによりユーザは、停止している箇所でコンテンツの内容の確認を行なうことができる。またこのとき停止している箇所で画像を拡大表示することで、さらにユーザによるコンテンツの内容の確認を行ないやすくすることもできる。
【００３４】
また画像切替え判断部２２が、停止操作が行なわれていないと判断した場合（ステップ１０８でＮｏ）、画像切替え判断部２２は、さらにユーザによるフリック操作が行なわれたか否かを判断する（ステップ１１０）。
このようにユーザによる再度のフリック操作が行なわれた場合（ステップ１１０でＹｅｓ）、本実施の形態では、ユーザが画像の切替え速度を変更することを目的とする操作であると判断する。そしてこのとき速度記憶部２３は、再度のフリック操作が行なわれたときの速度を再度記憶する（ステップ１１１）。そして画像表示制御部２５は、以後の画像の切替えを、速度記憶部２３が記憶している速度に変更して行なう（ステップ１１２）。これは速度記憶部２３は、画像表示制御部２５が画像を連続して切替えているときに、画像切替え判断部２２が液晶パネル１４１で表示する画像をさらに切替えると判断した場合に、画像を切替える速度を再度記憶し、画像表示制御部２５は、以降の画像を切替える速度を速度記憶部２３が再度記憶した速度にする、と言い換えることもできる。そして以後は、ステップ１０８に戻る。なおユーザによる再度のフリック操作が行なわれなかった場合（ステップ１１０でＮｏ）についてもステップ１０８に戻る。
【００３５】
以上説明したように本実施の形態では、画像を切替えるために、ユーザが予め定められた回数以上フリック操作を連続して行なった場合に、以後の画像切り替えを自動的に行なう。これによりユーザがフリック操作を行なう回数は少数ですみ、ユーザは、煩わしさを感じることが少なくなる。さらにユーザへの身体的負担も減少することになる。
さらに本実施の形態では、画像切り替えを自動的に行なっているときに、画像の切り替えの速度を変更可能としている。これによりユーザは、コンテンツを閲覧する際に、閲覧に時間をかけたい箇所は、画像を遅く表示させ、閲覧に時間をかけたくなく飛ばして行ないたい箇所は、画像を速く表示させることが可能となる。即ち、これによりユーザは、自分のペースに合せてコンテンツを閲覧することができる。さらに一定の速度で画像の切り替えを行なう場合に対して、時間の無駄が生じにくくなる。
【００３６】
なお上述した例では、画像表示制御部２５が、自動で画像を切替える動作を行なっているときに、ユーザが再度フリック操作を行なうことで、画像の切り替えの速度の変更を行なったが、これに限られるものではない。例えば、図５に示すように液晶パネル１４１にスピードメータ１４１ａを表示させ、スピードメータ１４１ａにおいて切替え速度を表示するボタン１４１ｂを操作することで、像の切り替えの速度の変更を行なってもよい。
【００３７】
なお上述した例では、液晶パネル１４１で表示されている画像を切替えるためのユーザの操作として、フリック操作を例示したが、これに限られるものではなく、ドラッグ操作等の他の操作であってもよい。
【００３８】
［第２の実施の形態］
図６は、本実施の形態の制御手段の第２の機能構成例を示した図である。
図示するように本実施の制御手段は、位置取得部２１と、画像切替え判断部２２と、速度記憶部２３と、画像切替え回数計測部２４と、画像表示制御部２５と、区切り判断部２６と、区切り記憶部２７と、時間計測部２８とを備える。
【００３９】
位置取得部２１、画像切替え判断部２２、速度記憶部２３、画像切替え回数計測部２４の各機能については、図３の場合と同様であるので、ここでは説明を省略する。
【００４０】
区切り判断部２６は、予め定められた区切り条件によりコンテンツの中における区切り部を判断する。
この区切り条件は、例えば、表示するコンテンツが、印刷する文書のプレビュー画像の場合であった場合には、原稿サイズ、カラー／白黒モード、両面印刷−片面印刷の設定、原稿向き(ポートレート／ランドスケープ）、フォント、１頁に複数頁のデータを印刷する場合の頁の数(Ｎ−Ｕｐの数)、トレイの排出先、原稿読み込み箇所(プラテンガラス／ＡＤＦ（Auto Document Feeder)）、印刷データが保存されているフォルダのそれぞれの切り替わりで設定する場合や、予め定められたページ毎に設定したり、ＯＣＲ（Optical Character Recognition）の認識率が低い場合、上下さかさまの場合に設定するなど種々考えられる。
また表示するコンテンツが、写真のプレビュー画像であった場合には、区切り条件は、撮影日時(月、週、時間)、写真データが保存されているフォルダ、撮影したカメラのそれぞれの切り替わりで設定する場合などが考えられる。
【００４１】
画像表示制御部２５は、上述したように画像が予め定められた回数以上連続して切替えられたときに、以降の画像を速度記憶部２３が記憶している速度に基づいて連続して切替える処理を行なう。さらに本実施の形態では、これに加えて区切り判断部２６が判断した区切り部の情報を液晶パネル１４１に表示する。つまり表示する画像が区切り判断部２６で判断された区切り条件に合致する頁だった場合は、区切り条件の内容等を液晶パネル１４１に表示する。そして本実施の形態では、これをポップアップ表示により行なう。
【００４２】
区切り記憶部２７は、区切り判断部２６が判断した区切り部の情報について記憶する。そして詳しくは後述するが、この区切り部の情報は、履歴情報として記憶される。
【００４３】
時間計測部２８は、詳しくは後述するが、ポップアップ表示を開始してからの時間を計測する。そして予め定められた時間が経過すると画像表示制御部２５は、ポップアップ表示を非表示とする。
【００４４】
図７は、ポップアップ表示により区切り部の情報を表示する場合について説明した図である。
図示するように液晶パネル１４１には、現在４頁目として”名簿Ｂ”の文書について表示を行なっている。そしてこの”名簿Ｂ”の文書がフォルダの切り替わりだったとすると、その旨を”Ｐ．４「名簿Ｂ」から××フォルダの文書です。”として、ポップアップ１４１ｃにより表示している。これにより表示されている４頁目が区切り部であることと、この区切り部が、フォルダの切り替わりの箇所であることをフォルダの名称とともにユーザに通知することができる。そしてユーザは、このポップアップ１４１ｃが表示されたときは、この箇所が何らかの理由で注意すべき箇所であることを認識することができる。
【００４５】
またこのポップアップ１４１ｃをユーザがタップすると、画像を自動的に切替える動作が停止されるとともに、ポップアップ１４１ｃで表示している区切り部に該当する頁の画像が液晶パネル１４１に表示される。
【００４６】
このポップアップ１４１ｃは、予め定められた時間表示され、そしてその後非表示とされる。ただしポップアップ表示された情報は、記憶され、履歴情報としてユーザが後から確認することが可能である。図７の例では、液晶パネル１４１の右上に履歴確認ボタン１４１ｄを設けている。そしてユーザが履歴確認ボタン１４１ｄをタップすると、図８のような履歴一覧が液晶パネル１４１に表示される。図８では、区切り部についてその頁数（”ページ”として図示）、文書のタイトル、区切り部の情報（”確認内容”として図示）について頁順にその内容をリスト表示している。そしてユーザは、この中から確認したい箇所がある場合は、図８の画面から該当箇所をタップする。その結果、液晶パネル１４１に表示される画像は、図７のものに戻り、そして選択した区切り部に対応する頁の画像が液晶パネル１４１に表示される。
【００４７】
以上のように本実施の形態では、コンテンツを閲覧するための画像と、ポップアップ１４１ｃの画像とを別々に表示する。そのため画像を切替える速度を落とすことなく、コンテンツの区切り部をユーザに通知することができる。またポップアップ１４１ｃをタップすることで区切り部に該当するページを画像の切り替えを停止した状態で閲覧することができるため、ユーザが確認を行ないたい箇所は、時間をかけて行なうことができる。その一方でユーザが確認を行なう必要がないと判断したときは、ポップアップ表示を無視することも可能である。よってユーザは、時間の無駄なくコンテンツの閲覧をすることができる。
【００４８】
さらに本実施の形態では、例えば、複数フォルダに保存されているコンテンツをまとめてプレビュー表示することも可能である。これにより例えば、大量の情報をおおまかに確認したい場合に使用できる。さらに区切り部となる頁をユーザに通知することができるため、ユーザは現在全体のどのあたりを閲覧しているのかが把握できる。そして履歴確認ボタン１４１ｄを設けるなどの方法により、コンテンツの閲覧をしている途中でもユーザはコンテンツの中の区切り部を把握でき、検索などを容易に行なうことができる。
【００４９】
図９は、図６に示す制御手段の動作について説明したフローチャートである。
以下、図６および図９を使用して本実施の形態の制御手段の動作について説明を行なう。
図９においてステップ２０１〜ステップ２０９までは、図４のステップ１０１〜ステップ１０９と同様である。よってここでは、以後の制御手段の動作について説明を行なう。
【００５０】
画像切替え判断部２２が、停止操作が行なわれていないと判断した場合（ステップ２０８でＮｏ）、区切り判断部２６が、画像が切替えられる毎に表示される頁が予め定められた区切り条件に合致するか否かを判断する（ステップ２１０）。そして合致していたとき（ステップ２１０でＹｅｓ）は、ポップアップ表示等の予め定められた方法で区切り部の情報を液晶パネル１４１に表示する（ステップ２１１）。また区切り記憶部２７は、区切り判断部２６が判断した区切り部の情報について記憶する（ステップ２１２）。
なお予め定められた区切り条件に合致しなかった場合（ステップ２１０でＮｏ）についてもステップ２０８に戻る。
【００５１】
一方、時間計測部２８は、ポップアップ表示を開始してからの時間を計測し、予め定められた時間が経過したか否かを判断する（ステップ２１３）。そして予め定められた時間が経過すると（ステップ２１３でＹｅｓ）、画像表示制御部２５は、ポップアップ１４１ｃを非表示にする（ステップ２１４）。その後は、ステップ２０８に戻る。
【００５２】
また予め定められた時間が経過していないとき（ステップ２１３でＮｏ）は、ポップアップ１４１ｃがタップされたか否かが判断される（ステップ２１５）。そしてポップアップ１４１ｃがタップされた場合（ステップ２１５でＹｅｓ）は、画像表示制御部２５は、このポップアップ１４１ｃに対応する区切り部の頁を停止状態で表示する（ステップ２１６）。またポップアップ１４１ｃがタップされなかった場合（ステップ２１５でＮｏ）は、ステップ２１３に戻る。
【００５３】
［第３の実施の形態］
なお上述した例では、区切り部の情報を液晶パネル１４１に表示するのにポップアップ１４１ｃにより表示していたが、これに限られるものではない。
図１０は、区切り部の情報を液晶パネル１４１に表示する方法の他の例を説明した図である。
図１０に示す例では、区切り部に対応するコンテンツの画像をコンテンツの画像を表示する領域とは異なる領域１４１ｅに一覧として表示する。ここでは区切り部に対応するコンテンツの画像は、コンテンツの画像を切替える箇所の上部において、頁順に表示されている。上述した例では、履歴確認ボタン１４１ｄをタップしないと履歴一覧が液晶パネル１４１に表示されなかったが、この形態によれば、履歴一覧が画像として領域１４１ｅに表示されるため、ユーザの利便性が向上する。
ユーザは、領域１４１ｅに表示されている区切り部に対応するコンテンツの画像の中から確認したい箇所がある場合は、該当する画像をタップする。その結果、選択した区切り部に対応する頁の画像が液晶パネル１４１に表示される。
【００５４】
図１１は、本実施の形態の制御手段の第３の機能構成例であり、図１０で説明した機能を実現するための機能構成例を示した図である。
図示するように本実施の制御手段は、位置取得部２１と、画像切替え判断部２２と、速度記憶部２３と、画像切替え回数計測部２４と、画像表示制御部２５と、区切り判断部２６と、区切り記憶部２７とを備える。
【００５５】
位置取得部２１、画像切替え判断部２２、速度記憶部２３、画像切替え回数計測部２４、画像表示制御部２５、区切り判断部２６、区切り記憶部２７の各機能については、図６の場合と同様であるので、ここでは説明を省略する。
【００５６】
図１２は、図１１に示す制御手段の動作について説明したフローチャートである。
以下、図１１および図１２を使用して本実施の形態の制御手段の動作について説明を行なう。
図１２においてステップ３０１〜ステップ３０９までは、図４のステップ１０１〜ステップ１０９と同様である。よってここでは、以後の制御手段の動作について説明を行なう。
【００５７】
画像切替え判断部２２が、停止操作が行なわれていないと判断した場合（ステップ３０８でＮｏ）、区切り判断部２６が、画像が切替えられる毎に表示される頁が予め定められた区切り条件に合致するか否かを判断する（ステップ３１０）。そして合致していたとき（ステップ３１０でＹｅｓ）は、区切り部に対応するコンテンツの画像をコンテンツの画像を表示する領域とは別領域の領域１４１ｅに一覧として表示する（ステップ３１１）。また区切り記憶部２７は、区切り判断部２６が判断した区切り部の情報について記憶する（ステップ３１２）。
【００５８】
次に領域１４１ｅに表示されているコンテンツの画像の何れかがタップされたか否かが判断される（ステップ３１３）。そしてタップされた場合（ステップ３１３でＹｅｓ）は、画像表示制御部２５は、この画像に対応する区切り部の頁を停止状態で表示する（ステップ３１４）。また領域１４１ｅに表示されている画像がタップされなかった場合（ステップ３１３でＮｏ）は、ステップ３０８に戻る。また予め定められた区切り条件に合致しなかった場合（ステップ３１０でＮｏ）については、ステップ３１３に進む。
【００５９】
［第４の実施の形態］
以上詳述した例では、スマートフォン等の画像表示装置１０について説明を行なったが、上述した構成を他の装置に適用することも可能である。例えば、記録媒体に画像を形成し、印刷媒体として出力する画像形成装置に適用が可能である。ここで、画像形成装置としては、プリンタ機能のみを備えた装置を用いてもよいし、これに加えてスキャナ機能、ファクシミリ機能等の他の画像処理機能を備えた装置を用いてもよい。
【００６０】
図１３は、本実施の形態の画像形成装置のハードウェア構成例を示した図である。
図示するように、画像形成装置３０は、ＣＰＵ３１と、ＲＡＭ（Random Access Memory）３２と、ＲＯＭ（Read Only Memory）３３と、ＨＤＤ（Hard Disk Drive）３４と、操作パネル３５と、画像読取部３６と、画像形成部３７と、通信インターフェース（以下、「通信Ｉ／Ｆ」と表記する）３８とを備える。
【００６１】
ＣＰＵ３１は、ＲＯＭ３３等に記憶された各種プログラムをＲＡＭ３２にロードして実行することにより、後述する各機能を実現する。
ＲＡＭ３２は、ＣＰＵ３１の作業用メモリ等として用いられるメモリである。
ＲＯＭ３３は、ＣＰＵ３１が実行する各種プログラム等を記憶するメモリである。
ＨＤＤ３４は、画像読取部３６が読み取った画像データや画像形成部３７における画像形成にて用いる画像データ等を記憶する例えば磁気ディスク装置である。
操作パネル３５は、例えばタッチパネルであり、本実施の形態では、装置に関する情報を表示する画像表示手段の一例として設けている。
【００６２】
画像読取部３６は、紙等の記録媒体に記録された画像を読み取る。ここで、画像読取部３６は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式のものを用いるとよい。
【００６３】
画像形成部３７は、記録媒体に画像を形成する。ここで、画像形成部３７は、例えばプリンタであり、感光体に付着させたトナーを用紙等の記録媒体に転写して像を形成する電子写真方式や、インクを記録媒体上に吐出して像を形成するインクジェット方式のものを用いるとよい。本実施の形態では、記録媒体に画像を形成する画像形成手段の一例として、画像形成部３７を設けている。
通信Ｉ／Ｆ３８は、ネットワークを介して他の装置との間で各種情報の送受信を行う。
なお画像表示装置１０において制御手段として位置付けていたＣＰＵ１１やメモリ１２は、本実施の形態の画像形成装置３０では、ＣＰＵ３１、ＲＡＭ３２、ＲＯＭ３３、ＨＤＤ３４などに対応する。よってこれらを本実施の形態の画像形成装置３０における制御手段と言うことができる。
【００６４】
ここで操作パネル３５にて表示する画像について上述した画像表示装置１０の構成を適用することができる。例えば、操作パネル３５に画像形成装置３０で印刷待ちになっている印刷ジョブの一覧をプレビュー画像として表示させ、この中からユーザが印刷したいものを選択する場合などが考えられる。さらに画像形成装置３０が、ファクシミリ機能を有している場合などは、操作パネル３５にファクシミリの送付先の一覧を表示させ、この中からユーザがファクシミリの送付を行ないたい送付先を選択する場合などが考えられる。
【００６５】
なお図３、図６、および図１１で説明した構成の制御手段は、画像制御装置であると考えることもできる。この場合、図３、図６、および図１１の制御手段は、予め定められた領域でコンテンツの一部を画像として表示するとともにこの画像を切替えることでコンテンツの一部を予め定められた順序で表示する液晶パネル１４１に予め定められた接触物が接触したときに、接触物が液晶パネル１４１に接触した位置を取得する位置取得部２１と、位置取得部２１が取得した位置の変化により液晶パネル１４１で表示する画像を切替えるか否かを判断する画像切替え判断部２２と、画像切替え判断部２２が画像を切替えると判断した場合に、画像を切替える速度を記憶する速度記憶部２３と、画像が予め定められた回数以上連続して切替えられたときに、以降の画像を速度記憶部２３が記憶している速度に基づいて連続して切替える画像表示制御部２５と、を備えることを特徴とする画像制御装置として捉えることができる。
【００６６】
さらに図３、図６、および図１１の制御手段で行なう処理は、ソフトウェアとハードウェア資源とが協働することにより実現される。例えば、ＣＰＵ１１が、図３で説明した制御手段の各機能を実現するプログラムをメモリ１２にロードして実行することにより行なわれる。
【００６７】
よってこのプログラムは、コンピュータに、予め定められた領域でコンテンツの一部を画像として表示するとともにこの画像を切替えることでコンテンツの一部を予め定められた順序で表示する液晶パネル１４１に予め定められた接触物が接触したときに、接触物が液晶パネル１４１に接触した位置を取得する機能と、取得した位置の変化により液晶パネル１４１で表示する画像を切替えるか否かを判断する機能と、画像を切替えると判断した場合に、画像を切替える速度を記憶する機能と、画像が予め定められた回数以上連続して切替えられたときに、以降の画像を記憶している速度に基づいて連続して切替える機能と、を実現させるプログラムとして捉えることができる。
【符号の説明】
【００６８】
１０…画像表示装置、１１…ＣＰＵ、１２…メモリ、２１…位置取得部、２２…画像切替え判断部、２３…速度記憶部、２４…画像切替え回数計測部、２５…画像表示制御部、２６…区切り判断部、２７…区切り記憶部、２８…時間計測部、３０…画像形成装置
【図１】
0005994412.tif 000002
【図２】
0005994412.tif 000003
【図３】
0005994412.tif 000004
【図４】
0005994412.tif 000005
【図５】
0005994412.tif 000006
【図６】
0005994412.tif 000007
【図７】
0005994412.tif 000008
【図８】
0005994412.tif 000009
【図９】
0005994412.tif 000010
【図１０】
0005994412.tif 000011
【図１１】
0005994412.tif 000012
【図１２】
0005994412.tif 000013
【図１３】
0005994412.tif 000014